(57)【要約】【課題】記録媒体に着弾した液滴の水分を赤外線レーザー光によって蒸発させる際、記録媒体の幅方向外側に遮光部が形成されていない構成に比べて、その赤外線レーザー光が記録媒体の幅方向へ漏れるのを抑制できる液滴吐出装置を得る。【解決手段】記録媒体Ｐに液滴を吐出する液滴吐出ヘッドと、液滴吐出ヘッドよりも記録媒体Ｐの搬送方向下流側に配置され、記録媒体Ｐに赤外線レーザー光を照射して記録媒体Ｐに着弾した液滴の水分を蒸発させる照射部２６と、照射部２６の周囲に設けられた上遮光部３２と、照射部２６及び上遮光部３２と記録媒体Ｐを挟んで対向する位置に設けられた下遮光部３４と、を有し、記録媒体Ｐの幅方向外側で上遮光部３２と下遮光部３４とが接触する構成とすることにより、少なくとも記録媒体Ｐの幅方向に対して赤外線レーザー光を遮光する遮光部材３０と、を備えた液滴吐出装置１０とする。【選択図】図３
2018001508.tif 000002
【特許請求の範囲】
【請求項１】
記録媒体に液滴を吐出する液滴吐出ヘッドと、
前記液滴吐出ヘッドよりも前記記録媒体の搬送方向下流側に配置され、該記録媒体に赤外線レーザー光を照射して該記録媒体に着弾した液滴の水分を蒸発させる照射部と、
前記照射部の周囲に設けられた上遮光部と、前記照射部及び前記上遮光部と前記記録媒体を挟んで対向する位置に設けられた下遮光部と、を有し、前記記録媒体の幅方向外側で前記上遮光部と前記下遮光部とが接触する構成とすることにより、少なくとも前記記録媒体の幅方向に対して前記赤外線レーザー光を遮光する遮光部材と、
を備えた液滴吐出装置。
【請求項２】
前記照射部よりも前記記録媒体の搬送方向上流側及び下流側における前記上遮光部の下面に、前記記録媒体で反射された前記赤外線レーザー光を吸光する吸光部が設けられている請求項１に記載の液滴吐出装置。
【請求項３】
前記上遮光部を冷却する冷却手段が設けられている請求項２に記載の液滴吐出装置。
【請求項４】
前記下遮光部と前記記録媒体との間に空隙部が形成されている請求項１〜請求項３の何れか１項に記載の液滴吐出装置。
【請求項５】
前記記録媒体と対向する前記下遮光部の上面に、前記記録媒体を透過した前記赤外線レーザー光を吸光する吸光部が設けられている請求項４に記載の液滴吐出装置。
【請求項６】
前記下遮光部を冷却する冷却手段が設けられている請求項５に記載の液滴吐出装置。
【請求項７】
前記記録媒体と対向する前記下遮光部の上面に、前記記録媒体を透過した前記赤外線レーザー光を反射して該記録媒体に照射する反射部が設けられている請求項４に記載の液滴吐出装置。
【請求項８】
前記照射部の下面は、前記上遮光部の下面よりも上方位置に配置されている請求項１〜請求項７の何れか１項に記載の液滴吐出装置。
【請求項９】
前記液滴吐出ヘッド、前記照射部及び前記遮光部材が収容される開閉可能な収容室を有し、該収容室が開放状態では、前記照射部から前記赤外線レーザー光が照射されない構成とされている請求項１〜請求項８の何れか１項に記載の液滴吐出装置。
【請求項１０】
前記上遮光部は、前記照射部と一体に昇降可能に構成されるとともに、前記記録媒体の幅方向に移動可能に構成されている請求項１〜請求項９の何れか１項に記載の液滴吐出装置。
【発明の詳細な説明】
【技術分野】
【０００１】
本発明は、液滴吐出装置に関する。
【背景技術】
【０００２】
基板に着弾した液滴をレーザー光によって乾燥する液滴吐出装置において、液滴吐出ヘッドのノズル面に遮光部材を配置し、基板で反射したレーザー光がノズルに当たるのを防止して、ノズル内の液滴を保護するようにした構造は、従来から知られている（例えば、特許文献１参照）。
【先行技術文献】
【特許文献】
【０００３】
【特許文献１】特開２００７−１２５８７６号公報
【発明の概要】
【発明が解決しようとする課題】
【０００４】
本発明は、記録媒体に着弾した液滴の水分を赤外線レーザー光によって蒸発させる際、記録媒体の幅方向外側に遮光部が形成されていない構成に比べて、その赤外線レーザー光が記録媒体の幅方向へ漏れるのを抑制できる液滴吐出装置を得ることを目的とする。
【課題を解決するための手段】
【０００５】
上記の目的を達成するために、本発明に係る請求項１に記載の液滴吐出装置は、記録媒体に液滴を吐出する液滴吐出ヘッドと、前記液滴吐出ヘッドよりも前記記録媒体の搬送方向下流側に配置され、該記録媒体に赤外線レーザー光を照射して該記録媒体に着弾した液滴の水分を蒸発させる照射部と、前記照射部の周囲に設けられた上遮光部と、前記照射部及び前記上遮光部と前記記録媒体を挟んで対向する位置に設けられた下遮光部と、を有し、前記記録媒体の幅方向外側で前記上遮光部と前記下遮光部とが接触する構成とすることにより、少なくとも前記記録媒体の幅方向に対して前記赤外線レーザー光を遮光する遮光部材と、を備えている。
【０００６】
また、請求項２に記載の液滴吐出装置は、請求項１に記載の液滴吐出装置であって、前記照射部よりも前記記録媒体の搬送方向上流側及び下流側における前記上遮光部の下面に、前記記録媒体で反射された前記赤外線レーザー光を吸光する吸光部が設けられている。
【０００７】
また、請求項３に記載の液滴吐出装置は、請求項２に記載の液滴吐出装置であって、前記上遮光部を冷却する冷却手段が設けられている。
【０００８】
また、請求項４に記載の液滴吐出装置は、請求項１〜請求項３の何れか１項に記載の液滴吐出装置であって、前記下遮光部と前記記録媒体との間に空隙部が形成されている。
【０００９】
また、請求項５に記載の液滴吐出装置は、請求項４に記載の液滴吐出装置であって、前記記録媒体と対向する前記下遮光部の上面に、前記記録媒体を透過した前記赤外線レーザー光を吸光する吸光部が設けられている。
【００１０】
また、請求項６に記載の液滴吐出装置は、請求項５に記載の液滴吐出装置であって、前記下遮光部を冷却する冷却手段が設けられている。
【００１１】
また、請求項７に記載の液滴吐出装置は、請求項４に記載の液滴吐出装置であって、前記記録媒体と対向する前記下遮光部の上面に、前記記録媒体を透過した前記赤外線レーザー光を反射して該記録媒体に照射する反射部が設けられている。
【００１２】
また、請求項８に記載の液滴吐出装置は、請求項１〜請求項７の何れか１項に記載の液滴吐出装置であって、前記照射部の下面は、前記上遮光部の下面よりも上方位置に配置されている。
【００１３】
また、請求項９に記載の液滴吐出装置は、請求項１〜請求項８の何れか１項に記載の液滴吐出装置であって、前記液滴吐出ヘッド、前記照射部及び前記遮光部材が収容される開閉可能な収容室を有し、該収容室が開放状態では、前記照射部から前記赤外線レーザー光が照射されない構成とされている。
【００１４】
また、請求項１０に記載の液滴吐出装置は、請求項１〜請求項９の何れか１項に記載の液滴吐出装置であって、前記上遮光部は、前記照射部と一体に昇降可能に構成されるとともに、前記記録媒体の幅方向に移動可能に構成されている。
【発明の効果】
【００１５】
請求項１に係る発明によれば、記録媒体に着弾した液滴の水分を赤外線レーザー光によって蒸発させる際、記録媒体の幅方向外側に遮光部が形成されていない構成に比べて、その赤外線レーザー光が記録媒体の幅方向へ漏れるのを抑制することができる。
【００１６】
請求項２に係る発明によれば、照射部よりも記録媒体の搬送方向上流側及び下流側における上遮光部の下面に、記録媒体で反射された赤外線レーザー光を吸光する吸光部が設けられていない構成に比べて、その赤外線レーザー光が記録媒体の搬送方向へ漏れるのを抑制することができる。
【００１７】
請求項３に係る発明によれば、上遮光部を冷却する冷却手段が設けられていない構成に比べて、上遮光部が昇温するのを抑制することができる。
【００１８】
請求項４に係る発明によれば、下遮光部と記録媒体との間に空隙部が形成されていない構成に比べて、記録媒体に着弾した液滴の水分の蒸発を促進させることができる。
【００１９】
請求項５に係る発明によれば、下遮光部の上面で、かつ記録媒体と対向しない部位に記録媒体を透過した赤外線レーザー光を吸光する吸光部が設けられている構成に比べて、記録媒体に着弾した液滴の水分の蒸発を促進させることができる。
【００２０】
請求項６に係る発明によれば、下遮光部を冷却する冷却手段が設けられていない構成に比べて、下遮光部が昇温するのを抑制することができる。
【００２１】
請求項７に係る発明によれば、記録媒体を透過して反射部で反射された赤外線レーザー光が記録媒体に照射されない構成に比べて、記録媒体に着弾した液滴の水分の蒸発を促進させることができる。
【００２２】
請求項８に係る発明によれば、照射部の下面と上遮光部の下面とが同一高さ位置に配置されている構成に比べて、記録媒体に着弾した液滴が照射部の下面に付着するのを抑制することができる。
【００２３】
請求項９に係る発明によれば、収容室が開放状態でも、照射部から赤外線レーザー光が照射可能となる構成に比べて、赤外線レーザー光が収容室から外部へ漏れるのを防止することができる。
【００２４】
請求項１０に係る発明によれば、上遮光部が照射部と共に固定配置されている構成に比べて、照射部に対するメンテナンス作業を容易に行うことができる。
【図面の簡単な説明】
【００２５】
【図１】本実施形態に係るインクジェット記録装置の外観を示す側面図である。
【図２】本実施形態に係るインクジェット記録装置の画像形成部の構成を示す側面図である。
【図３】第１実施形態に係る遮光部材の幅方向外側部分の構成を示す説明図である。
【図４】第１実施形態に係る遮光部材の下遮光部の変形例を示す側面図である。
【図５】第１実施形態に係る遮光部材の空冷式の冷却手段を示す側面図である。
【図６】第１実施形態に係る遮光部材の水冷式の冷却手段を示す側面図である。
【図７】第２実施形態に係る遮光部材の幅方向外側部分の構成を示す説明図である。
【図８】第３実施形態に係る遮光部材の幅方向外側部分の構成を示す説明図である。
【図９】第４実施形態に係る遮光部材の幅方向外側部分の構成を示す説明図である。
【発明を実施するための形態】
【００２６】
以下、本発明に係る実施の形態について、図面を基に詳細に説明する。なお、説明の便宜上、各図に適宜示される矢印ＵＰを液滴吐出装置の一例としてのインクジェット記録装置１０の上方向とし、矢印ＦＷを記録媒体の一例としての連帳紙Ｐの搬送方向とする。また、以下において、連帳紙Ｐの搬送方向を単に「搬送方向」と言い、その搬送方向上流側及び搬送方向下流側を、それぞれ単に「上流側」、「下流側」と言う場合がある。また、上方から見て（平面視で）、連帳紙Ｐの搬送方向と直交する方向を「幅方向」と言い、図３、図７〜図９において、矢印Ｗで示す。
【００２７】
＜第１実施形態＞
まず、第１実施形態に係るインクジェット記録装置１０について説明する。図１、図２に示されるように、インクジェット記録装置１０は、収容室１２内に画像形成部２０を備えている。画像形成部２０は、連帳紙Ｐの上面にインク滴（液滴）を吐出し、その連帳紙Ｐの上面に画像を形成する液滴吐出ヘッドの一例としてのインクジェット記録ヘッド２２と、インク滴が着弾した連帳紙Ｐに赤外線レーザー光を照射する照射部２６と、赤外線レーザー光が外部に漏れるのを抑制又は防止する遮光部材３０と、を含んで構成されている。
【００２８】
図１に示されるように、収容室１２は、開閉可能な扉１４を有しており、扉１４が開放されている状態では、照射部２６から赤外線レーザー光が照射されないように構成されている。具体的には、例えば扉１４が閉じられている状態をインクジェット記録装置１０に設けられている制御部（図示省略）が検知しなければ、照射部２６へ通電されないインターロック機構で構成されている。
【００２９】
連帳紙Ｐは、ロール状に巻回されて送出部１６に配置されており、その送出部１６から収容室１２内へ繰り出されるようになっている。そして、収容室１２内から排出された印刷済みの連帳紙Ｐが巻取部１８においてロール状に巻き取られるようになっている。なお、このインクジェット記録装置１０では、連帳紙Ｐの表裏両面に印刷が可能なように収容室１２が２つ（表面用と裏面用とが）設けられており、表面用の収容室１２と裏面用の収容室１２との間には、連帳紙Ｐを表裏反転させる反転部１７が設けられている。
【００３０】
図２、図３に示されるように、インクジェット記録ヘッド２２は、収容室１２内に設けられた複数のガイドロール１３（図４〜図６参照）等によって構成された搬送経路に沿って搬送される連帳紙Ｐの幅方向が長手方向とされており、連帳紙Ｐの紙幅以上の長さを有している。なお、図３では、照射部２６が示されているが、インクジェット記録ヘッド２２の幅方向の長さは、照射部２６の幅方向の長さと略同等である。
【００３１】
また、インクジェット記録ヘッド２２は、連帳紙Ｐの搬送方向上流側からブラック（Ｋ）、シアン（Ｃ）、マゼンタ（Ｍ）、イエロー（Ｙ）の順に複数配置されており、各インクジェット記録ヘッド２２が、連帳紙Ｐに対して上方から順に各色のインク滴を吐出するようになっている。なお、図２では、搬送方向最上流側のブラック（Ｋ）のインクジェット記録ヘッド２２のみが示されている。
【００３２】
また、各インクジェット記録ヘッド２２は、矩形枠状に形成された保持部材２４に挿入されて保持されており、搬送経路（遮光部材３０を構成する下遮光部３４の上方側）を搬送される連帳紙Ｐの上方側に配置されている。そして、各インクジェット記録ヘッド２２を保持する保持部材２４は、公知の移動機構（図示省略）によって昇降可能に構成されるとともに、連帳紙Ｐの幅方向に移動可能に構成されている。
【００３３】
インクジェット記録ヘッド２２（保持部材２４を含む）の搬送方向下流側には、搬送経路（下遮光部３４の上方側）を搬送される連帳紙Ｐに向けて赤外線レーザー光を照射する照射部２６が配置されている。照射部２６は、例えば数十ミリ秒〜数百ミリ秒という短い時間でインク滴を乾燥させる（顔料と水とを含むインク滴中から水分を蒸発させる）必要があるため、クラス４以上の高出力の垂直共振器型面発光レーザー照射装置で構成されている。
【００３４】
照射部２６の周囲には、遮光部材３０を構成する上遮光部３２が設けられている。すなわち、照射部２６は、矩形枠状に形成された上遮光部３２に挿入されて保持されており、搬送経路（下遮光部３４の上方側）を搬送される連帳紙Ｐの上方側に配置されている。この照射部２６から照射される赤外線レーザー光によって、連帳紙Ｐに形成された画像（インク滴）中の水分が蒸発されるようになっている。
【００３５】
なお、図３に示されるように、照射部２６の幅方向外側に配置されている上遮光部３２は、断面矩形状の嵌合部３６を構成している。また、照射部２６の下面２６Ａにはガラス板が設けられており、図２に示されるように、その照射部２６の下面２６Ａ（ガラス板）は、上遮光部３２の下面３２Ａよりも上方位置に配置されている。そして、照射部２６の搬送方向上流側及び下流側に配置されている上遮光部３２の下面３２Ａには、連帳紙Ｐで反射された赤外線レーザー光を吸光する吸光部４０が設けられている。
【００３６】
具体的に説明すると、照射部２６の搬送方向上流側及び下流側に配置されている上遮光部３２の下面３２Ａには、吸光部４０としてのニッケルメッキが施されている。なお、吸光部４０（照射部２６の搬送方向上流側及び下流側に配置されている上遮光部３２）の搬送方向における長さＤは、２０ｍｍ以上とされている。また、インクジェット記録ヘッド２２を保持する保持部材２４の下面にも吸光部４０を設けて、連帳紙Ｐで反射された赤外線レーザー光を吸光する構成にしてもよい。
【００３７】
また、赤外線レーザー光は、連帳紙Ｐの白紙部分では、数％〜２０％程度透過する。そのため、図２、図３に示されるように、照射部２６及び上遮光部３２と連帳紙Ｐを挟んで上下方向に対向する位置には、上遮光部３２とで遮光部材３０を構成する下遮光部３４が設けられている。下遮光部３４の幅方向外側部分（後述する被嵌合部３８）の搬送方向に沿った長さは、上遮光部３２の幅方向外側部分（嵌合部３６）の搬送方向に沿った長さ以上とされている。
【００３８】
そして、下遮光部３４の幅方向外側部分は、幅方向内側が切り欠かれた断面略「Ｌ」字状の被嵌合部３８を構成しており、その被嵌合部３８の切欠部３８Ａに、上遮光部３２の嵌合部３６が嵌合する構成になっている。これにより、連帳紙Ｐが搬送方向に通過可能なトンネル状の遮光部材３０が形成されるとともに、連帳紙Ｐの幅方向外側（遮光部材３０の幅方向外側部分）に、搬送方向から見た断面視で、嵌合部３６と被嵌合部３８との合わせ面で屈曲形状とされた迷路構造Ｌｓが形成されるようになっている。
【００３９】
上遮光部３２と下遮光部３４とが接触する面が平面であってもよいが、このような迷路構造Ｌｓが形成されることにより、少なくとも連帳紙Ｐの幅方向に対しては、赤外線レーザー光がより遮光される構成になっている。そして、照射部２６の搬送方向上流側及び下流側に配置されている上遮光部３２の下面に設けられた吸光部４０によって、赤外線レーザー光が吸光されることにより、連帳紙Ｐの搬送方向上流側及び下流側への赤外線レーザー光の漏れが抑制される構成になっている。なお、迷路構造Ｌｓは、嵌合部３６と被嵌合部３８との合わせ面が湾曲形状とされることで形成されていてもよい。
【００４０】
また、図３に示されるように、上遮光部３２も、公知の移動機構（図示省略）により、照射部２６と一体に昇降可能に構成されるとともに、連帳紙Ｐの幅方向に移動可能に構成されている。なお、公知の移動機構としては、例えば照射部２６と一体の上遮光部３２を支持する部材が、電動モーターによって駆動されることで、ガイドレールに沿って昇降及び移動する構成が考えられるが、本実施形態における移動機構は、特に限定されるものではない。
【００４１】
また、図２、図４に示されるように、下遮光部３４と連帳紙Ｐとの間には空隙部Ｓ（上下方向の隙間）が形成されている。すなわち、連帳紙Ｐとの間に上下方向で１ｍｍ〜１０ｍｍ程度の隙間が形成されるように、下遮光部３４の位置が設定されており、連帳紙Ｐは下遮光部３４に対して非接触となっている。なお、図４に示されるように、連帳紙Ｐと対向する下遮光部３４の上面３４Ａに、連帳紙Ｐを透過した赤外線レーザー光を吸光する吸光部４０を設けるようにしてもよい。
【００４２】
ここで、上遮光部３２や下遮光部３４に吸光部４０を設けると、上遮光部３２や下遮光部３４が過度に（例えば７０℃以上に）昇温される可能性が高くなる。そのため、上遮光部３２や下遮光部３４には、図５に示される空冷式や図６に示される水冷式の冷却手段４２を設けるようにしてもよい。
【００４３】
具体的に説明すると、図５に示されるように、上遮光部３２の上面３２Ｂや下遮光部３４の下面３４Ｂに、表面積を増加させるためのフィン４４を形成し、そのフィン４４に対してブロワー（図示省略）から冷却風を供給するようにして、上遮光部３２や下遮光部３４が、その冷却風と熱交換される（冷却風によって冷却される）ように構成してもよい。
【００４４】
また、図６に示されるように、上遮光部３２内に冷却水が流れる断面円形状の流路４６を直接形成し、上遮光部３２が、その流路４６を流れる冷却水と熱交換される（冷却水によって冷却される）ように構成してもよい。そして、下遮光部３４の下面３４Ｂに、冷却水が流れる断面円形状の流路４６を有する流路部材４８を一体的に設けて、下遮光部３４が、その流路４６を流れる冷却水と熱交換される（冷却水によって冷却される）ように構成してもよい。
【００４５】
また、図示は省略するが、下遮光部３４の板厚を図示のものよりも厚く形成し、下遮光部３４内に冷却水が流れる断面円形状の流路４６を直接形成し、下遮光部３４が、その流路４６を流れる冷却水と熱交換される（冷却水によって冷却される）ように構成してもよい。なお、下遮光部３４の上面３４Ａに吸光部４０が設けられない場合は、下遮光部３４には、冷却手段４２を設けないようにしてもよい。また、保持部材２４の下面に吸光部４０を設けた場合は、保持部材２４にも、冷却手段４２を設けることが望ましい。
【００４６】
また、連帳紙Ｐと対向する下遮光部３４の上面３４Ａには、吸光部４０ではなく、連帳紙Ｐを透過した赤外線レーザー光を反射して、その連帳紙Ｐに照射する反射部５０（図４参照）を設けるようにしてもよい。すなわち、下遮光部３４の反射部５０で反射された赤外線レーザー光を連帳紙Ｐの下面に照射して、連帳紙Ｐの上面に形成された画像（インク滴）中の水分の蒸発が促進されるようにしてもよい。
【００４７】
以上のような構成とされた第１実施形態に係るインクジェット記録装置１０において、次にその作用について説明する。
【００４８】
インクジェット記録装置１０において、印刷ジョブが実行されると、各収容室１２において、送出部１６から繰り出された連帳紙Ｐに対して、各インクジェット記録ヘッド２２からインク滴が吐出される。これにより、その連帳紙Ｐの上面（連帳紙Ｐの表裏両面）に画像が形成される。
【００４９】
各収容室１２において、連帳紙Ｐに画像が形成されると、照射部２６により、その連帳紙Ｐに対して赤外線レーザー光が照射される。これにより、連帳紙Ｐの上面に形成された画像、即ちインク滴中の水分の温度が沸騰温度まで瞬時に（数十ミリ秒〜数百ミリ秒で）上昇され、インク滴中の水分が蒸発する。したがって、連帳紙Ｐに水分が浸透することによる滲みが低減されるととともに、その画像の光学濃度の低減が抑制又は防止される。
【００５０】
特に、照射部２６は、連帳紙Ｐの幅方向から見た側面視で、連帳紙Ｐの法線方向から赤外線レーザー光を照射するように、搬送経路の上方に配置されている。そのため、照射部２６が、連帳紙Ｐの法線方向に対して斜め上方から赤外線レーザー光を照射する構成に比べて、連帳紙Ｐの上面に形成された画像（インク滴）中の水分の蒸発が促進される。
【００５１】
また、照射部２６の幅方向外側では、上遮光部３２の嵌合部３６と下遮光部３４の被嵌合部３８とが互いに嵌合されている。すなわち、照射部２６の幅方向外側では、嵌合部３６と被嵌合部３８との合わせ面で迷路構造Ｌｓが形成されている。したがって、照射部２６の幅方向外側に迷路構造Ｌｓが形成されていない場合に比べて、赤外線レーザー光が幅方向外側へ漏れることが抑制又は防止される。
【００５２】
また、照射部２６の搬送方向上流側及び下流側に配置されている上遮光部３２の下面３２Ａには、それぞれ搬送方向の長さＤが２０ｍｍ以上とされた吸光部４０が設けられている。したがって、連帳紙Ｐの上面で反射された赤外線レーザー光は、吸光部４０で吸光される。よって、照射部２６の搬送方向上流側及び下流側における上遮光部３２の下面３２Ａに吸光部４０が設けられていない場合に比べて、赤外線レーザー光が遮光部材３０（上遮光部３２）よりも搬送方向上流側及び下流側へ漏れることが抑制される。
【００５３】
また、連帳紙Ｐと下遮光部３４との間には空隙部Ｓが形成されている。すなわち、連帳紙Ｐの下面に下遮光部３４の上面３４Ａ（吸光部４０や反射部５０を含む）が接触していない。したがって、連帳紙Ｐの下面に下遮光部３４の上面３４Ａが接触している構成に比べて、赤外線レーザー光で昇温されたインク滴の熱が連帳紙Ｐから下遮光部３４へ逃げるのが防止される。よって、連帳紙Ｐの上面に着弾したインク滴が効率よく昇温され、そのインク滴中の水分の蒸発が促進される（インク滴の乾燥効率が向上される）。
【００５４】
また、下遮光部３４の上面３４Ａに吸光部４０が設けられていると、連帳紙Ｐを透過した赤外線レーザー光が下遮光部３４の吸光部４０に吸光されるため、下遮光部３４が昇温する。したがって、下遮光部３４の上面３４Ａに吸光部４０が設けられていない場合に比べて、下遮光部３４からの輻射熱により、連帳紙Ｐの上面に着弾したインク滴が下面側からも暖められる。よって、連帳紙Ｐの上面に着弾したインク滴が更に効率よく昇温され、そのインク滴中の水分の蒸発が更に促進される（インク滴の乾燥効率が更に向上される）。
【００５５】
また、下遮光部３４の上面３４Ａに反射部５０が設けられていると、連帳紙Ｐを透過した赤外線レーザー光が反射部５０によって反射されて連帳紙Ｐの下面に照射されるため、連帳紙Ｐの上面に着弾したインク滴が下面側からも暖められる。よって、下遮光部３４の上面３４Ａに反射部５０が設けられていない場合に比べて、連帳紙Ｐの上面に着弾したインク滴が更に効率よく昇温され、そのインク滴中の水分の蒸発が更に促進される。なお、連帳紙Ｐを下面側からも暖められる構成になっていると、赤外線レーザー光の出力を低減させることが可能となる利点もある。
【００５６】
また、吸光部４０が設けられている上遮光部３２に冷却手段４２が設けられていると、上遮光部３２が過度に昇温するのが抑制される。そして、吸光部４０が設けられている下遮光部３４に冷却手段４２が設けられていると、下遮光部３４が過度に昇温するのが抑制される。これにより、作業者が上遮光部３２や下遮光部３４に触れても、その安全性が確保される。
【００５７】
また、照射部２６の下面２６Ａ（ガラス板）は、上遮光部３２の下面３２Ａよりも上方位置に配置されている。したがって、照射部２６の下面２６Ａ（ガラス板）と上遮光部３２の下面３２Ａとが同一高さ位置に配置されている場合に比べて、連帳紙Ｐの上面に着弾したインク滴が照射部２６の下面２６Ａ（ガラス板）に付着するのが抑制又は防止される。よって、照射部２６の下面２６Ａ（ガラス板）が汚染されたり、インク滴が付着している部位と付着していない部位との温度差によって割れたりするのが抑制又は防止される。
【００５８】
また、上遮光部３２は、照射部２６と一体に昇降及び幅方向に移動可能に構成されているため、上遮光部３２が、照射部２６と共に固定配置されている場合に比べて、照射部２６に対するメンテナンス作業が容易となるとともに、上遮光部３２や下遮光部３４に対するメンテナンス作業も容易となる。
【００５９】
また、このインクジェット記録装置１０は、収容室１２の扉１４が閉じられていないと、照射部２６から赤外線レーザー光が照射さないインターロック機構を備えているため、そのようなインターロック機構を備えていない場合に比べて、赤外線レーザー光が収容室１２から外部へ漏れるのが防止される。
【００６０】
なお、インターロック機構は、上遮光部３２の嵌合部３６と下遮光部３４の被嵌合部３８とが互いに嵌合していることを制御部が検知しないと、照射部２６へ通電されない構成としてもよいし、連帳紙Ｐが搬送されていることを制御部が検知しないと、照射部２６へ通電されない構成としてもよい。このようなインターロック機構でも、赤外線レーザー光が収容室１２から外部へ漏れるのが防止される。
【００６１】
＜第２実施形態＞
次に、第２実施形態に係るインクジェット記録装置１０について説明する。なお、上記第１実施形態と同等の部位には、同じ符号を付して詳細な説明（共通する作用も含む）は適宜省略する。
【００６２】
図７に示されるように、この第２実施形態に係るインクジェット記録装置１０では、上遮光部３２の嵌合部３６の形状と下遮光部３４の被嵌合部３８の形状とが、第１実施形態の形状と逆になっている。すなわち、上遮光部３２の嵌合部３６が、幅方向内側が切り欠かれた断面略「Ｌ」字状とされ、その嵌合部３６の切欠部３６Ａが、下遮光部３４の断面矩形状とされた被嵌合部３８に嵌合する構成になっている。
【００６３】
このような形状の嵌合部３６及び被嵌合部３８でも、連帳紙Ｐが搬送方向に通過可能なトンネル状の遮光部材３０が構成されるとともに、連帳紙Ｐの幅方向外側（遮光部材３０の幅方向外側部分）に迷路構造Ｌｓが形成される。したがって、この第２実施形態に係るインクジェット記録装置１０でも、少なくとも連帳紙Ｐの幅方向への赤外線レーザー光の漏れが抑制又は防止される。
【００６４】
＜第３実施形態＞
次に、第３実施形態に係るインクジェット記録装置１０について説明する。なお、上記第１実施形態及び第２実施形態と同等の部位には、同じ符号を付して詳細な説明（共通する作用も含む）は適宜省略する。
【００６５】
図８に示されるように、この第３実施形態に係るインクジェット記録装置１０では、上遮光部３２の嵌合部３６の形状が、第１実施形態の形状と異なっている。すなわち、上遮光部３２の嵌合部３６が、断面略逆「凹」字状とされ、その嵌合部３６の凹部３６Ｂが、下遮光部３４の断面略「Ｌ」字状とされた被嵌合部３８の凸部３８Ｂに嵌合する構成になっている。
【００６６】
このような形状の嵌合部３６及び被嵌合部３８では、連帳紙Ｐが搬送方向に通過可能なトンネル状の遮光部材３０が構成されるとともに、連帳紙Ｐの幅方向外側（遮光部材３０の幅方向外側部分）に、上記第１実施形態及び第２実施形態よりも複雑な（屈曲の多い）迷路構造Ｌｓが形成される。したがって、この第３実施形態に係るインクジェット記録装置１０では、少なくとも連帳紙Ｐの幅方向への赤外線レーザー光の漏れがより一層抑制又は防止される。
【００６７】
＜第４実施形態＞
次に、第４実施形態に係るインクジェット記録装置１０について説明する。なお、上記第１実施形態〜第３実施形態と同等の部位には、同じ符号を付して詳細な説明（共通する作用も含む）は適宜省略する。
【００６８】
図９に示されるように、この第４実施形態に係るインクジェット記録装置１０では、下遮光部３４の被嵌合部３８の形状が、第１実施形態の形状と異なっている。すなわち、下遮光部３４の被嵌合部３８も断面矩形状とされており、嵌合部３６の下面と被嵌合部３８の上面とが互いに接触する構成とされている。
【００６９】
そして、この第４実施形態に係るインクジェット記録装置１０では、互いに接触した嵌合部３６と被嵌合部３８の幅方向外側の側面を覆うサイド遮光部２８が設けられている。サイド遮光部２８は、下遮光部３４における被嵌合部３８の搬送方向に沿った長さと同等の長さを有する平板状に形成されており、回転する偏心カムやエアシリンダー等によって昇降可能に構成されている。
【００７０】
このサイド遮光部２８が、上昇位置において、嵌合部３６の下面と被嵌合部３８の上面との合わせ面の幅方向端部を幅方向外側から覆うようになっている。つまり、このサイド遮光部２８により、連帳紙Ｐの幅方向外側（遮光部材３０の幅方向外側部分）に迷路構造Ｌｓが形成されるようになっている。したがって、この第４実施形態に係るインクジェット記録装置１０でも、少なくとも連帳紙Ｐの幅方向への赤外線レーザー光の漏れが抑制又は防止される。
【００７１】
以上、本実施形態に係るインクジェット記録装置１０について、図面を基に説明したが、本実施形態に係るインクジェット記録装置１０は、図示のものに限定されるものではなく、本発明の要旨を逸脱しない範囲内において、適宜設計変更可能なものである。例えば、記録媒体は、連帳紙Ｐに限定されるものではなく、カット紙（普通紙）であってもよい。
【００７２】
また、本実施形態に係るインクジェット記録装置１０は、フルカラーのインクジェット記録装置１０であるが、モノクロのインクジェット記録装置１０であってもよく、その場合は、図２に示されるように、ブラック（Ｋ）のインクジェット記録ヘッド２２のみとなる。また、本実施形態に係るインクジェット記録装置１０は、収容室１２が１つだけ設けられて、片面印刷のみとされていてもよい。
【００７３】
また、照射部２６は、ブラック（Ｋ）のインクジェット記録ヘッド２２の下流側だけに設けられる構成に限定されるものではなく、シアン（Ｃ）、マゼンタ（Ｍ）、イエロー（Ｙ）の各インクジェット記録ヘッド２２の下流側にそれぞれ設けられる構成とされていてもよい。また、色順は、ブラック（Ｋ）、シアン（Ｃ）、マゼンタ（Ｍ）、イエロー（Ｙ）の順に限定されるものではない。
【００７４】
また、保持部材２４は、上遮光部３２と一体的に設けられていてもよい。つまり、インクジェット記録ヘッド２２は、照射部２６とは独立して昇降及び移動可能とされる構成に限定されるものではなく、照射部２６と共に昇降及び移動可能とされる構成とされていてもよい。
【００７５】
また、吸光部４０は、上遮光部３２の嵌合部３６及び下遮光部３４の被嵌合部３８の幅方向内側の側面に設けるようにしてもよい。更に、照射部２６の下面２６Ａは、上遮光部３２の下面３２Ａよりも上方位置に配置されているが、これに限定されるものではなく、照射部２６の下面２６Ａと上遮光部３２の下面３２Ａとが同一高さ位置に配置される構成とされていてもよい。
【符号の説明】
【００７６】
１０  インクジェット記録装置（液滴吐出装置の一例）
１２  収容室
２２  インクジェット記録ヘッド（液滴吐出ヘッドの一例）
２６  照射部
３０  遮光部材
３２  上遮光部
３４  下遮光部
４０  吸光部
４２  冷却手段
５０  反射部
Ｌｓ  迷路構造
Ｐ  連帳紙（記録媒体の一例）
Ｓ  空隙部
【図１】
2018001508.tif 000003
【図２】
2018001508.tif 000004
【図３】
2018001508.tif 000005
【図４】
2018001508.tif 000006
【図５】
2018001508.tif 000007
【図６】
2018001508.tif 000008
【図７】
2018001508.tif 000009
【図８】
2018001508.tif 000010
【図９】
2018001508.tif 000011